(57)【要約】      （修正有）【課題】歯科撮影の分野において、誰でも訓練無く、簡単に写真撮影が出来る様にすること。【解決手段】歯科撮影条件として、歯科撮影を行うかどうかの情報、および／または歯科撮影を行うためのプログラムの情報、および／または歯科撮影の種類、および／または歯科撮影倍率、および／または歯科画像の明るさ、を設定する歯科撮影条件入力手段を持つ歯科写真システムとする。更に、付随歯科撮影条件として、拡大倍率、および／または撮影距離、および／または照明光量、及び／または絞り、および／または露光時間、および／またはクローズアップレンズの有無情報、を設定する歯科撮影条件入力手段を持つ歯科写真システムとする。【選択図】図１
2005052165.tif 000002
【特許請求の範囲】
【請求項１】
歯科撮影条件として、歯科撮影を行うかどうかの情報、および／または歯科撮影を行うためのプログラムの情報、および／または歯科撮影の種類、および／または歯科撮影倍率、および／または歯科画像の明るさ、を設定する歯科撮影条件入力手段を持つ歯科写真システム。
【請求項２】
歯科撮影条件に付随する付随歯科撮影条件として、拡大倍率、および／または撮影距離、および／または照明光量、および／または絞り、および／または露光時間、および／またはクローズアップレンズの有無情報、を設定する付随歯科撮影条件入力手段を持つ請求項１記載の歯科写真システム。
【請求項３】
設定された拡大倍率および／またはクローズアップレンズの有無情報により、ズーム倍率、および／または撮影距離、および／または照明光量、および／または絞り、の設定を決定または変更する請求項２記載の歯科写真システム。
【請求項４】
設定された歯科撮影条件または付随歯科撮影条件に対応する緩和撮影条件を満たした場合に、術者に報知するか、および／または撮影動作を有効にする、請求項１〜３記載の歯科写真システム。
【請求項５】
被写体と近接して配置した距離ゲージと比較するための、距離確認ゲージを表示部に有する歯科写真システム。
【請求項６】
実測した撮影距離、または実現した設定撮影距離、または緩和撮影条件を満足する撮影距離に応じて撮像時の画像の明るさを制御するか、および／または撮影済み画像データの明るさパラメータを制御する歯科写真システム。
【請求項７】
設定された歯科撮影条件または付随歯科撮影条件の下で、照明光量、および／または絞り、および／または露光時間を決定または変更制御する請求項６記載の歯科写真システム。
【請求項８】
照明システムの最大発光量の１／５以下の発光量範囲を撮影距離５ｃｍ〜１００ｃｍの範囲に対応させて照明システムの発光量を制御する請求項６〜７記載の歯科写真システム。
【請求項９】
請求項１〜８記載の歯科写真システムにおいて、自動焦点機能を有する歯科写真システム。
【請求項１０】
設定された歯科撮影条件を満たしているか、および／または緩和撮影条件を満たした場合に、自動焦点機能を有効にする請求項１〜４または６または７〜９記載の歯科写真システム。
【請求項１１】
緩和撮影条件が、設定された撮影距離の９５％〜１３０％の撮影距離である請求項８〜１０記載の歯科写真システム。
【請求項１２】
歯科撮影条件入力手段が記録メディアの装着であり、該記録メディアに歯科撮影条件が書き込まれている請求項１〜３または６〜１１記載の歯科写真システム。
【請求項１３】
歯科撮影条件入力手段が２つ以上の同時操作入力であり、該同時操作入力により以降行う撮影が歯科撮影であるという歯科撮影条件が設定される請求項１〜３または６〜１１記載の歯科口腔写真システム。
【発明の詳細な説明】
【０００１】
【発明の属する技術分野】
本発明は、歯科で用いられている口腔写真撮影用のデジタルカメラ、特に歯科で行われる規格撮影を行うデジタルカメラおよび／またはその画像を管理・整理・処理するソフトウェアを含む歯科写真システムに属する。
【０００２】
【従来の技術】
歯科用カメラの分野においては、自動焦点および自動露出機能を備えたカメラであっても、照明光量を撮影部位に応じて一定にし、マニュアルフォーカスを用い、撮影部位に応じた規定の撮影倍率になるように術者が撮影距離を調整するという方法が行われている。また、この様な撮影を実現するために、ソニックテクノの例では、一般民生用に用いられるデジタルカメラに、専用の照明やマクロレンズを組み合わせて歯科用のカメラセットとして販売されている。
【０００３】
また、少しでも撮影をし易くするために某社のＭＳ−３の様に、歯科口腔撮影における複数の撮影倍率に対応して、レンズのピントを調整するリング部分に該撮影倍率の目盛を施している歯科用カメラもある。
その他のカメラの具体例では、歯科・医科専用カメラとしてもっぱら手動露出手動焦点を用いる銀塩フィルムタイプのカメラも市販されている。
本発明は技術改良中にしたものであり、従来技術に該当する文献は見当たらない。
【０００４】
【発明が解決しようとする課題】
歯科用カメラは、通常のカメラと違って、被写体である歯面等の正確な色情報を残す必要があり、また技工所において補綴物を作成する際に、歯科医院より患者の歯の形と色を正確に伝える必要があり、術前術後の撮影において相対的に比較ができる画像を残さなければならないというものである。また、現在のデジタルカメラを含むカメラにおいては、自動露出および自動焦点の双方の機能を同時に実現した全自動カメラというものが広く一般的に普及している。これは手動焦点および手動露出しかできなかった時代と比較して、誰でも簡単にきれいな撮影を可能にした技術であり、写真撮影を一部のカメラ愛好家やプロのカメラマンだけのものから、訓練も知識もなく広く一般の人にも簡単に撮影できる様にしたものである。
【０００５】
しかし、歯科撮影において、現在市販されているこの様なカメラを用いた場合に、まず、自動焦点機能で歯の付近に焦点を合わしても、自動露出機能が目的の歯の部分の露出を制御出来ない状況がある。口腔写真は、明るさとしてはかなり明るい目的の歯牙と、中間的な明るさの周辺歯牙（陰になっている）や舌、唇、歯肉と、かなり暗い喉の奥の部分を同時に照明撮影することになり、現在のカメラを用いた照明撮影の場合、カメラの自動露出の機能の差にもよるが、本番撮影のための発光の前にプリ発光してそれを測光して、本番撮影の照明光量を決める方式になっているが、目的歯牙付近の反射光を測光した場合には、目的歯牙は明るく反射するために照明光量が少なくなる様に制御され、他の暗い部分の反射光を測光した場合には照明光量を多くする様に制御される。
【０００６】
また、画像全体を平均的に測光した場合には、歯の部分が多いか、喉の奥の部分が多いかなどに照明光量が左右される。結果としては同一撮影距離の同一倍率の撮影にも関わらず、ちょっとした被写体およびその周辺部の差により、結果の画像が非常に暗くなったり、非常に明るくなったりして、とても歯の色の再現性はとれない状況である。従って自動露出機能が使用出来ず、手動露出が出来ない比較的小型の安価な全自動カメラは全て歯科口腔写真には使用出来ず、現状では比較的高級で中・大型の手動露出が可能で、手動露出に対応した外部照明を使用するカメラが多用されているのが現状である。さらに、その様な手動露出機能のついたカメラを用いて撮影する場合、目的とする撮影の撮影倍率と拡大倍率との関係で決まっている撮影距離で手動露出によって調整された光量で照明が点灯するのが理想であるが、歯牙の撮影は大抵が近接のマクロ撮影であり、実際の撮影距離が２ｃｍもずれると被写体の明るさはかなり変化することとなる。
【０００７】
例えば照明との距離が１５ｃｍとなる場合に２ｃｍずれると理論的には１／（１７／１５）の２乗〜１／（１３／１５）の２乗の変動（０．７８〜１．３３倍）をきたす。従って、規定の撮影距離ぴったりになる場所にカメラを動かして構えなければならない。ところが、目的の被写体が撮影範囲の中に入らなければならないから術者はファインダーなりモニターなりを見ながらカメラの位置・角度の６自由度を操作することになるので、自動焦点機能を用いた場合撮影距離を判断するのは非常に困難である。なぜなら自動焦点機能を用いた場合、どんな撮影距離でもファインダーやモニター画像のピントがぴったり合ってしまうからである。
【０００８】
従って、歯科撮影においては手動露出および手動焦点で撮影する事となる。なぜなら手動焦点であれば、ピントの合う撮影距離を目的とする撮影距離に合わせておけば、その場所にカメラを移動させた時にファインダーやモニターのピントがぴったりと合うので、目的の撮影距離に合っていることが術者にわかるからである。この様に歯科撮影においては、自動露出・自動焦点機能が広く一般的に安価に普及しているにも関わらずそれを使用することが出来ない。特にデジタルカメラにおいては自動露出・自動焦点機能は当たり前の様に備わっており、逆に手動露出・手動焦点機能を備えた中級・高級な中・大型のデジタルカメラを使用せざるを得ないのが現状である。
【０００９】
つまり、歯科撮影は、自動露出・自動焦点が困難なマクロ撮影がほとんどであり、これに手動露出を使用するとなるとこの様なカメラは、マクロアダプターや外部照明を使用しないと実現できないこととなっていた。
従ってカメラの重量はそれなりに重くなり、歯科診療室で患者の口腔を撮影する場合に患者の上から覆い被さる様にして撮影すると、姿勢を安定するのが難しく、目的の歯牙あるいは歯列が撮影範囲から上下左右に外れてしまう。この上下左右の調整を無理な姿勢で行うと、結果的には前後にも動くこととなり、決定した撮影倍率が合わなくなる。従って、自動焦点機能を使わず手動焦点調節をすることになるがこれはさらにピンぼけの写真になりやすくなる。結果として、歯科撮影においては、うまく撮影するまでに多くの失敗投資と数年の時間を要するのが実態である。
【００１０】
逆に、うまく撮影出来ない状態では、撮影自体に手間取るので、歯科撮影自体をあきらめたり、撮影してもピンぼけや明るさや色再現性の定まらない撮影画像を利用せざるを得ないことになり、それを基にした補綴物作成に失敗したり、患者説明に誤解を生じたりすることとなっていた。
歯科写真撮システムにおいて、歯の色の情報は非常に重要であり、上記従来のシステムは歯の色の再現性もしくは測色性は歯科で実用になるレベルにはほど遠く、現在これらの問題を解決している歯科用デジタルカメラは存在しない。
【００１１】
【課題を解決するための手段】
本発明は、上記課題を解決すべく、以下に述べる手段を用いた。
本発明は、歯科撮影条件として、歯科撮影を行うかどうかの情報、および／または歯科撮影を行うためのプログラムの情報、および／または歯科撮影の種類、および／または歯科撮影倍率、および／または歯科画像の明るさ、を設定する歯科撮影条件入力手段を持つ歯科写真システムである。
本発明は、歯科撮影条件に付随する付随歯科撮影条件として、拡大倍率、および／または撮影距離、および／または照明光量、および／または絞り、および／または露光時間、および／またはクローズアップレンズの有無情報、を設定する付随歯科撮影条件入力手段を持つ歯科写真システムである。
【００１２】
本発明は、設定された拡大倍率および／またはクローズアップレンズの有無情報により、ズーム倍率、および／または撮影距離、および／または照明光量、および／または絞り、の設定を決定または変更する歯科写真システムである。
本発明は、設定された歯科撮影条件または付随歯科撮影条件に対応する緩和撮影条件を満たした場合に、術者に報知するか、および／または撮影動作を有効にする、歯科写真システムである。
本発明は、被写体と近接して配置した距離ゲージと比較するための、距離確認ゲージを表示部に有する歯科写真システムである。
【００１３】
本発明は、実測した撮影距離、または実現した設定撮影距離、または緩和撮影条件を満足する撮影距離、に応じて照明光量、および／または絞り、および／または露光時間の制御によって撮像持の画像の明るさを制御するか、および／または撮影済み画像データの明るさパラメータ、を制御する、歯科写真システムである。
本発明は、設定された歯科撮影条件または付随歯科撮影条件の下で、照明光量、および／または絞り、および／または露光時間、および／または撮影済み画像データの明るさパラメータ、を決定または変更制御する歯科写真システムである。
【００１４】
照明システムの最大発光量の１／５以下の発光量範囲を撮影距離５ｃｍ〜１００ｃｍの範囲に対応させて照明システムの発光量を制御する歯科写真システムである。
本発明は、以上の課題を解決する手段に加えて、自動焦点機能を有する歯科写真システムである。
本発明は、設定された歯科撮影条件を満たしているか、および／または緩和撮影条件を満たした場合に、自動焦点機能を有効にする歯科写真システムである。
【００１５】
本発明は、緩和撮影条件が、設定された撮影距離の９５％〜１３０％の撮影距離である歯科写真システムである。
本発明は、歯科撮影条件入力手段が記録メディアの装着であり、該記録メディアに歯科撮影条件が書き込まれている歯科写真システムである。
本発明は、歯科撮影条件入力手段が２つ以上の同時操作入力であり、該同時操作入力により以降行う撮影が歯科撮影であるという歯科撮影条件が設定される歯科口腔写真システムである。
【００１６】
歯科撮影とは、歯科の臨床現場または歯科技工所においておこなわれる、患者の顔写真撮影または顎口腔写真撮影または歯列の写真撮影または歯の写真撮影または歯肉の写真撮影または鏡を用いたこれらの写真撮影または歯科補綴物の写真撮影または患者のカルテまたは患者を特定する事物の撮影または歯科の規格撮影のことである。規格撮影の例としては上下全歯牙の唇側または頬側を露出させての撮影、上顎右側歯列のみの撮影、上顎咬合面のミラーを用いた撮影、補綴対象の歯牙（欠損して失われた状態を含む）とその周辺の歯牙の撮影、顔全体の撮影（開口、閉口、笑顔）等がある。
【００１７】
歯科撮影条件とは、歯科撮影を行うかどうか、および／または歯科撮影を行うためのプログラム、および／または歯科撮影の種類、および／または歯科撮影倍率、および／または歯科画像の明るさ、の情報のことである。
歯科撮影を行うかどうかの情報とは、歯科以外の一般的な撮影も歯科撮影も行うことの出来る歯科写真システムにおいて、歯科撮影を行うという情報のことである。
歯科撮影を行うためのプログラムの情報とは、歯科撮影を行うためのプログラムそのものかまたは一部分のことである。
【００１８】
歯科撮影倍率とは、歯科撮影の種類に応じて決まっている、あるいは歯科撮影を行う術者によって決められる、撮影倍率のことである。
撮影倍率とは、撮影範囲が撮像面上でどれくらい拡大または縮小されているかの目安となる倍率のことである。最近のＣＣＤを用いたデジタルカメラでは、撮像面の大きさが機種によって異なるために３５ｍｍフィルム換算で用いられることが多い。
歯科画像の明るさとは、歯科画像における歯の部分または歯肉の部分の明るさのことであり、明るさとは撮像面における光の強度、またはそれに露光時間を掛けたもの、または撮影画像のデータまたはモニタ出力または印刷出力の色の明度または輝度のことである。
【００１９】
歯科撮影条件入力手段とは、歯科写真システムを構成するカメラにおける、操作スイッチや調整部、および／またはそれと連動する表示、および／または歯科撮影条件を記録した記録メディアを読み取り判定する複合された手段、および／または該記録メディアやケーブル・無線通信によって接続された情報処理装置を使って歯科写真システムを構成するソフトウェアから入力すること、および／または該ソフトウェアを稼動させている該情報処理装置へ操作入力または記録メディアからの入力を行うこと、および／または歯科撮影条件を記載した被写体の撮影であり、同時に複数の操作スイッチを操作する場合を含む。
記録メディアとは、歯科写真システムを構成するカメラにおいてはコンパクトフラッシュカード、ＳＤメモリカード、メモリスティック等の画像を記録するメディアのことであり、歯科写真システムを構成するソフトウェアを稼動させる情報処理装置においては該画像を記録するメディア、ハードディスク、フロッピーディスク、ＣＤ等のメディアのことである。
【００２０】
拡大倍率とは、ズーム機能および／またはクローズアップレンズを用いた撮影距離をこれらを用いなかった場合に必要な撮影距離で割った倍率数値のことである。これはズーム機能および／またはクローズアップレンズを用いた撮像面での画像の大きさをこれを用いなかった場合の画像の大きさで割った倍率数値でもある。
撮影距離とは、狭義には撮像面またはレンズの主面または照明の発光前面から被写体表面までの距離のことであるが、本発明においては歯科写真システムの位置関係が固定された任意の部分から被写体表面までの距離としても構わない。
照明光量とは、照明システムの照射光の強度である。
【００２１】
絞りとは、撮像面またはレンズの前方で撮像光量を制御する機構である。
露光時間とは、撮像面において被写体の画像を検出する累積時間経過と、または照明光の照射時間経過とにより、両者が重なっている時間のことである。
クローズアップレンズとは、通常のレンズの前面に装着して、撮影距離を変えずに撮影倍率を拡大するか、撮影倍率を変えずに撮影距離を大きくするレンズのことである。
付随歯科撮影条件入力手段とは、焦点調節機構、および／またはズーム倍率調節機構、および／または照明光量調節機構、および／または絞り調節機構、および／または露光時間調節機構、および／またはクローズアップレンズの有無を検出する機構であり、歯科撮影条件入力手段と同一機構である場合を含む。
【００２２】
ズーム倍率とは、ズーム機能により画像が拡大される倍率のことである。
緩和撮影条件とは、歯科撮影条件に対応してあらかじめ設定され、撮影条件にぴったりでなくても歯科撮影を有効とする許容範囲のことである。
報知するとは、術者に報知する手段であれば何でも良いが、好ましくは音または画像表示または振動である。好ましくはファインダーまたはモニタに特定の表示を行うことである。
撮影動作を有効にするとは、術者の撮影操作があった場合に撮影を実行する用意が出来ている状態にすることであり、撮影動作を有効にしていない場合に術者の撮影動作があっても撮影は実行されないことを前提とする。
【００２３】
距離ゲージとは、被写体と同時に撮影すべく被写体に近接して配置した長さもしくは大きさを示すものであり、距離確認ゲージと長さもしくは大きさを対応させたものである。好ましくは一定の長さの棒、それに目盛のついたもの、歯科おいて用いられるシェードガイドまたはその部分部材である。
距離確認ゲージとは、表示部に距離ゲージと比較するために表示または配置され、距離ゲージと長さもしくは大きさを対応させたゲージのことである。好ましくは歯科撮影の撮影倍率に対応した目盛が付されてる。更に好ましくは、表示の枠である。この表示部の枠は表示部の機械的枠でも良いし、表示される画像中の枠でも良い。
【００２４】
実測した撮影距離とは、実際に歯科写真システムの構成要素であるカメラを被写体に対して構えたときに実現されている撮影距離および／または、露光時間帯において実現されている撮影距離のことである。実測は距離センサにより測定するのが好ましい。
実現した設定撮影距離とは、実際の撮影距離が設定された撮影距離になっている場合の撮影距離ことである。例えば距離ゲージおよび距離確認ゲージにより設定された撮影距離が実現されていることが判明される場合は距離センサによる測定は不要であり、実際の撮影距離が設定された撮影距離になっているとみなすことが好ましい。また、術者がモニターやファインダーの被写体画像を見てこれを判断し撮影操作を行う場合も実際の撮影距離が設定された撮影距離になっているとみなすことが好ましい。
【００２５】
緩和撮影条件を満足する撮影距離とは、実際の撮影距離が緩和撮影条件を満たす状態になっている場合の撮影距離ことである。例えば距離ゲージおよび距離確認ゲージにより設定された撮影距離が緩和撮影条件を満たすことが判明される場合は距離センサによる測定は不要であり、実際の撮影距離が緩和撮影条件を満たすとみなすことが好ましい。また、術者がモニターやファインダーの被写体画像を見てこれを判断し撮影操作を行う場合も実際の撮影距離が緩和撮影条件を満たすとみなすことが好ましい。
撮像時の画像の明るさを制御するとは、撮影条件として（照明光量）×（絞り直径）＾２×（露光時間）／（撮影距離）＾２を一定にするかまたは、撮影済み画像データの明るさパラメータをコンピュータ上でソフトウェアにより調整することである。
【００２６】
撮影済み画像データの明るさパラメータとは、ソフトウェア上で撮影画像のデータまたはモニタ出力または印刷出力の色の明度または輝度またはＲ、Ｇ、Ｂの各データの２乗平均（Ｒ×Ｒ＋Ｇ×Ｇ＋Ｂ×Ｂの平方根）のことである。ソフトウェア上で画像の明るさを調整する場合、被写体までの実撮影距離を距離センサまたは自動焦点機能で検出し、その実撮影距離情報を被写体の画像ファイルに添付することが好ましい。画像を表示または印刷するコンピュータ上のソフトウェアで、その実撮影距離情報に基づき、画像の明るさを調整することが好ましい。自動焦点機能とは、通常市販されている自動焦点（オートフォーカス）を実現する機能であるが、本発明においては、撮影画像上で自動焦点を実現するとともに、撮影を行う行わないに関わらずファインダーおよび／またはモニターに表示する画像上の自動焦点を実現する機能の双方の機能を含む。
【００２７】
自動焦点機能を有効にするとは、撮影画像上で自動焦点を実現するか、および／またはファインダーおよび／またはモニターに表示する画像上の自動焦点を実現することである。これに対し、自動焦点による撮影を有効にしていない場合、焦点の合ったファインダー画面出力またはモニター画面出力を行わないか、さらに、もっとカメラを被写体に近づけるべきか遠ざかるべきかを報知するか、これらに加えて撮影操作を無効にするなどの対応がある。
９５〜１３０％の撮影距離とは、規定の撮影倍率の１００／１３０〜１００／９５の撮影倍率範囲となる様な撮影距離の範囲である。
表示部とはモニター及び／またはファインダーのことである。
【００２８】
【発明の実施の形態】
被写体までの撮影距離に応じて画像の明るさを制御するシステムに加えて、被写体までの焦点の調整に自動焦点機能を用いることが好ましい。自動焦点機能を用いて被写体までの撮影距離を測距し、その測距情報に基づいて設定した撮影距離の９５％〜１３０％の撮影距離であることの判定を行い、術者に報知したり、撮影を可能にすることが好ましい。
画像の明るさを制御するための、カメラから被写体までの撮影距離を測定する方法としては、距離センサを用いることが好ましく、さらに距離センサには赤外線や超音波やＬＥＤ・フォトダイオードを用いるのが好ましい。
【００２９】
画像の明るさを制御するため以外の、カメラから被写体までの撮影距離を測定する方法としては、自動焦点で使用している距離を測定する方法を兼用したり、距離センサーを用いることが好ましく、さらに距離センサには赤外線や超音波やＬＥＤ・フォトダイオード、を用いるのが好ましい。
画像の明るさを制御するためのカメラから被写体までの撮影距離を測定する方法と、画像の明るさを制御するため以外のカメラから被写体までの撮影距離を測定する方法を共通で使用することができる。
カメラから被写体までの撮影距離を測定する方法と自動焦点機能をリンクすることが好ましい。
【００３０】
照明システムに内蔵した距離センサにより被写体までの撮影距離を検出し、照明光量および／またはＣＣＤ撮像素子への露光時間および／または絞りを制御することにより、被写体までの撮影距離に応じて画像の明るさを制御することが好ましい。
画像の明るさを制御するために（照明光量）×（絞り直径）＾２×（露光時間）／（撮影距離）＾２を一定にすることが好ましい。特に照明光量だけで制御する場合は照明単体で制御が可能となることが好ましい。
撮影倍率が２倍〜１／５倍の範囲で、被写体までの撮影距離が５０ｍｍ〜１ｍの範囲で被写体までの撮影距離に応じて画像の明るさを制御する歯科写真撮システムであることが好ましい。
【００３１】
距離ゲージを同時撮影して撮影距離を算出し、両像ファイルに添付した撮影倍率情報とともにコンピュータ上で画像の明るさを調整するとともに規定の撮影倍率の画像範囲にトリミングする歯科写真撮システムであることが好ましい。距離ゲージの一対応として物差しがある。
また、距離ゲージが色見本と一体の距離ゲージであることは好ましい。
好ましい画像の明るさは、被写体である歯の明るさがその歯の色特性に応じてＬ＊ａ＊ｂ＊表色系におけるＬ＊値が６０〜８５の範囲になる様に調整可能な明るさの事である。
【００３２】
歯科撮影に対応した撮影倍率および／または拡大倍率に対応する撮影距離を予め決定するために、歯科写真システムに歯科撮影における規格撮影や補綴目的の歯周辺をクローズアップ撮影する場合の撮影のうちのどれかを選択できる機能を内蔵するのが好ましい。
さらにこの機能はファインダーやモニターに表示される選択画面と、選択入力スイッチの機能により実現されるのが好ましい。さらに、各規格撮影や補綴目的の歯周辺をクローズアップ撮影する場合のその撮影の種類、撮影倍率、拡大倍率、撮影距離情報をカメラの内部に予め内蔵しておくのが好ましい。そのうちの撮影距離情報と、実際の被写体との撮影距離情報により自動焦点や撮影自体を可能にする判定を行うのが好ましい。
【００３３】
【実施例】
本発明の実施例として、図１を用いて説明する。
＜動作＞
あらかじめ所望の歯科撮影または所望の歯科撮影に対応した撮影倍率がカメラに設定入力されている。術者が拡大機能を操作し、かつ被写体に対してカメラの距離を操作すると、ズーム倍率情報と距離センサによる被写体までの距離情報がカメラ内蔵の制御装置に送られる。カメラ内蔵の制御装置はズーム倍率と撮影距離により、その時点で撮影した場合の撮影倍率を計算し、既定の撮影倍率の７０％〜１０５％の範囲で所望の撮影範囲をカバーしていた場合に音声報知手段および／または画像報知手段により撮影ＯＫの報知を術者に対して行う。同時にカメラ内蔵の制御装置は被写体までの距離情報に応じて照明の光量を計算し、シャッターが切られた瞬間の撮影距離に応じた光量で照明システムを発光させる。所望の撮影倍率と実現された撮影倍率の情報は画像ファイルに記録され、画像ファイルはパソコンへ導入される。
【００３４】
パソコンにインストールされた本歯科写真撮システムによる画像管理ソフトは所望の撮影倍率に画像をトリミングして保管および／または表示および／または印刷する。
また、歯科撮影専用のプログラムまたはデータを記録した記録メディアをセットすると、術者の起動操作とともにカメラ内蔵の制御装置がこれを読みとり、歯科口腔撮影が可能な状態になる。この際、カメラ内蔵の制御装置に歯科撮影専用のプログラムが無い場合には、歯科撮影専用のプログラムがカメラ内蔵の制御装置に導入され、カメラ内蔵の制御装置に歯科撮影専用のプログラムがあらかじめ内蔵してある場合は、歯科撮影専用のデータがカメラ内蔵の制御装置に導入される。
【００３５】
歯科撮影が可能な状態においては、患者の顔写真撮影または顎口腔写真撮影または歯列の写真撮影または歯の写真撮影または歯肉の写真撮影または鏡を用いたこれらの写真撮影または歯科補綴物の写真撮影のいずれかの歯科撮影の種類、および／または設定撮影倍率および／または設定拡大倍率および／または設定撮影距離および／または設定照明光量の設定を持つかまたは該設定入力手段所望の歯科撮影の種別または所望の撮影倍率、さらにクローズアップレンズの有無が、カメラのモニタまたはファインダー上の選択表示と術者からの入力操作によりカメラに入力される。
その後、術者がズーム機能を操作し、かつ被写体に対してカメラの距離を操作すると、ズーム倍率情報と距離センサによる被写体までの撮影距離情報がカメラ内蔵の制御装置に送られる。カメラ内蔵の制御装置は実ズーム倍率と撮影距離により、その時点で撮影した場合の撮影倍率を計算し、設定した撮影倍率の０％〜−３０％以内で所望の撮影範囲をカバーしていた場合に音声報知手段および／または画像報知手段により撮影ＯＫの報知を術者に対して行う。同時にカメラ内蔵の制御装置は被写体までの撮影距離情報に応じて照明の光量を計算し、シャッターが切られた瞬間の撮影距離に応じた光量で照明システムを発光させる。設定した撮影倍率と実際の撮影倍率の情報は画像ファイルに記録され、画像ファイルはパソコンへ導入される。パソコンにインストールされた本歯科写真システムによる画像管理ソフトは設定した撮影倍率に画像をトリミングして保管および／または表示および／または印刷する。
【００３６】
別の動作では照明光量は一定に発光し、実際の撮影距離情報が画像ファイルに記録され、画像ファイルはパソコンへ導入される。パソコンにインストールされた本歯科写真システムによる画像管理ソフトは設定した撮影距離情報に応じて画像の明るさを調整して画像を保管および／または表示および／または印刷する。別の動作では、撮影の目的に応じて撮影倍率・拡大倍率・撮影距離があらかじめ固定され、照明光量もあらかじめ設定することにより、その時の被写体までの撮影距離を測定しながら目的の撮影距離の±５％の範囲において、自動焦点機能や撮影動作を有効にしたり、その範囲内に導く様にガイダンスを報知する用に設定する。
別の動作では、撮影の目的に応じて被写体と同時に撮影する距離ゲージとモニターまたはファインダーに表示または装備した距離ゲージを選択し、これらをモニターまたはファインダー上で合わせ込むことにより、カメラの位置を設定した撮影距離に持ってきて、自動焦点機能を有効にし、その撮影距離で予め設定してある照明光量で撮影する。
【００３７】
【本発明の効果】
歯科撮影において、自動露出機能および／または自動焦点機能を利用することが可能になる。従って、一般のカメラ分野においてかつて全自動カメラ（自動露出機能および自動焦点機能を有するカメラ）の登場により、誰でも訓練無く、簡単に写真撮影が出来る様になった事と同様に、自動焦点機能を用いることにより、更に撮影距離に応じて明るさを制御する機能を用いることにより歯科撮影の分野においても、誰でも訓練無く、簡単に写真撮影が出来る様になるものである。さらにこのことが実現することにより、診療時間を犠牲にすることなく、診療の間隙をぬって歯科撮影をぴったりとしたピントと画像の明るさを実現しつつ行うことが可能になり、その画像を高品位の補綴物の作成に生かしたり、正しい診療記録として残したり、患者への治療方針や治療結果の説明に用いたりすることが可能となる。
【図面の簡単な説明】
【図１】本システムを実現させるブロック図
【図１】
2005052165.tif 000003